(57)【要約】【課題】電子機器のアンテナ部からの防水性を高める。【解決手段】電子機器を、筐体部材と、筐体部材に対して伸張および収納可能に設けられるアンテナエレメントと、アンテナエレメントを保持すると共に前記筐体部材に保持される取付具と、取付具に具備されて、取付具と共に筐体部材との接続面の一部を成す伸縮性を有するシーリング部材と、一端を封止すると共に他端を前記取付具に非浸水に接続させた耐水性チューブと、を用いてアンテナ部分の防水性を持たせる。【選択図】図１
2013162471.tif 000002
【特許請求の範囲】
【請求項１】
筐体部材と、
前記筐体部材に対して伸張および収納可能に設けられるアンテナエレメントと、
前記アンテナエレメントを保持すると共に前記筐体部材に保持される取付具と、
前記取付具に具備されて、前記取付具と共に前記筐体部材との接続面の一部を成す伸縮性を有するシーリング部材と、
一端を封止すると共に、他端を前記取付具に非浸水に接続させた耐水性チューブと、
を有することを特徴とする電子機器。
【請求項２】
前記取付具と前記耐水性チューブとを嵌合により非浸水に接続したことを特徴とする請求項１に記載の電子機器。
【請求項３】
前記取付具と前記耐水性チューブとを接着により非浸水に接続したことを特徴とする請求項１または２に記載の電子機器。
【請求項４】
前記取付具と前記耐水性チューブとを一体成形によって形成して非浸水としたことを特徴とする請求項１に記載の電子機器。
【請求項５】
前記取付具と前記耐水性チューブとを金属を用いた一体成形によって形成して非浸水としたことを特徴とする請求項４に記載の電子機器。
【請求項６】
前記アンテナエレメント、前記取付具、前記シーリング部材および前記耐水性チューブを、前記筐体部材から前記取付具を離各させることによって一体的に取り外して交換できる構造を有する ことを特徴とする請求項１ないし５の何れか一項に記載の電子機器。
【請求項７】
前記取付具は、取り外しを行なった際にも前記シーリング部材を保持する凹部を有する ことを特徴とする請求項６に記載の電子機器。
【請求項８】
前記取付具と前記筐体部材とは、組み込みを行った際に前記シーリング部材を所要に変形させる値に基づいたクリアランスを設けるように当接面が形成されている ことを特徴とする請求項６または７に記載の電子機器。
【請求項９】
取り付けられる電子機器に対して伸張および収納可能に設けられるアンテナエレメントと、
前記アンテナエレメントを保持すると共に前記電子機器の筐体部材に保持される取付具と、
前記取付具に具備されて、前記取付具と共に前記筐体部材との接続面の一部を成す伸縮性を有するシーリング部材と、
一端を封止すると共に、他端を前記取付具に非浸水に接続させた耐水性チューブと、
から成ることを特徴とするアンテナユニット。
【請求項１０】
電子機器の筐体部材に対して、ユニット化されている、アンテナエレメントと、前記アンテナエレメントを保持すると共に前記筐体部材に保持される取付具と、前記取付具に具備されて、前記取付具と共に前記筐体部材との接続面の一部を成す伸縮性を有するシーリング部材と、一端を封止すると共に他端を前記取付具に非浸水に接続させた耐水性チューブとを、組み込む際に、前記筐体部材と前記取付具との構造的クリアランスを前記シーリング部材によってシーリングすることで、アンテナ部の防水構造を形成することを特徴とする電子機器のアンテナ組込方法。
【発明の詳細な説明】
【技術分野】
【０００１】
本発明は、アンテナを備えた電子機器に関し、詳しくはアンテナ部に防水機能を有する電子機器およびそのアンテナの組み込み方法に関する。
【背景技術】
【０００２】
昨今の携帯電話などの電子機器には、しばしば防水仕様が求められている。  
防水機能への要求は日々高まりつつあり、現在では、IPX5と共にIPX7のような浸水時の防水仕様の要求が多くなっている。電子機器がこれら防水仕様を備える為には電子機器の様々な構造物において機器内への浸水リスクを低減する必要がある。
【０００３】
電子機器に搭載されるアンテナには、大別して筐体に内蔵（埋設）されるタイプとされないタイプがある。また、内蔵されないタイプには、筐体と一体的に構造体として形成されるタイプと、摺動部を有して伸張及び収納可能であるタイプに分けられる。  
摺動部を有して伸張及び収納可能であるタイプは、例えば、ロッドアンテナが挙げられる。
【０００４】
内蔵アンテナや電子機器の筐体に対して固定的に設けられるアンテナでは、外殻間のつなぎ目の構造を以て防水仕様を満足させ得ることが多い、一方で、外部に露出する部分を有するロッドアンテナなどでは、つなぎ目を固定するようなことはできないので、同様の対策のみでは防水仕様を満足できない。  
なお、これらのアンテナを搭載した電子機器には、伸張状態、収納状態および伸張収納の中間状態の何れにも防水機能を持たせたいとの要求もある。加えて、浸水状態でのアンテナの伸張／収納動作でも防水機能を維持させたいとの要求もある。また、破損時などの修理に対して簡便に交換できることへの要求も強くある。
【０００５】
防水仕様を高く持たせていない露出する部分を有するアンテナに関しては、電子機器を浸水させた時などに、アンテナ部からはアンテナの保持部分を通して筐体内に水の侵入を許してしまったり、アンテナの収納スペースを介して水の浸入を許してしまったりして、水が機器内の電子機器に悪影響を及ぼしている。
【０００６】
電子機器のアンテナに関連する防水機能に関する関連技術は、例えば特許文献１ないし３が挙げられる。
【０００７】
特許文献１では、図４に示すように、取付金具の受けに当たる取付座、筐体の空部分を埋める中空部材、および筐体ケースとして形成されたガイド筒を一体的に形成することによって、伸張／収納アンテナの収納部から本体内に水が浸入するのを防ぐ技術が述べられている。なお、このような構造では、取付金具と取付座の接続面、取付座と中空部品の接続面などの接触機密性が弱く、高いレベルの防水仕様を得ることが難しい問題がある。また、中空部品が取付座やケースと一体的に配置されており、筐体内部構造の制約が増えて実装エリアが小さくなる。
【０００８】
特許文献２では、図５に示すように、取付金具のアンテナ通し穴に、熱可塑性弾性材料で形成されているホルダの弾性部を重ねて用いて、棒状体（アンテナエレメント）と弾性部とを伸張状態および収納状態で密着させる構造を取ることによって、伸張および収納時の防水構造を電子機器に持たせている。このような構造では、収納状態と伸張状態との中間状態での弾性部と棒状体部分の接続面の接触機密性の維持が非常に難しく、高いレベルの防水仕様を得ることが難しい。また、棒状体部分が濡れた状態での収納時に、筐体内に水が進入する。これは、弾性部の伸張完了形態から収縮完了形態に変形する前（中間状態）では、ちょうど良く棒状体との接触機密性を維持できるように変形させることが熱可塑性弾性材料では困難なためである。
【０００９】
特許文献３では、図６に示すように、伸張／収納アンテナ先端部分に設けられたキャップの底部に弾力性を有する円形状の嵌挿部を設け、収納時に貫通孔側と接触する部分で防水性が保たれ、かつ、貫通孔の壁面に止着して設けられる環状形状の水切り部材を設け、防水性を高めている。なお、この技術は筐体としてアンテナの筒状モールドなどを一体成形する構成に限定している。また、特許文献２よりも機能性ではあるもの伸張時にエレメント（ロッド）に付着した水滴が水切り部材で完全に取れず筐体内に進入する可能性を有する。また、水きり部材に合わせて、ロッドの形状や材質が限られてしまっている。
【先行技術文献】
【特許文献】
【００１０】
【特許文献１】特開平８−２６５０１８号公報
【特許文献２】特開平９−８５２０号公報
【特許文献３】特開２０００−３４９５１９号公報
【発明の概要】
【発明が解決しようとする課題】
【００１１】
昨今求められている防水機能には、高い防水性が求められる。例えば、IPX5では電子機器への噴流水に耐えなければならず、IPX7やIPX8では電子機器の水中への浸水を耐えなければならない。  
IPX7を満たす電子機器のように電子機器を水中に入れた際には、水圧をも考慮する必要がある。また、事後的な水蒸気に対する防水性（防湿性）も考慮する必要がある。
【００１２】
電子機器が防水仕様を満たす為には電子機器の機器内部への浸水リスクを低減する必要がある。またこの際に所要のアンテナタイプや電子機器の所要の外観および内部構造を採用できるような、防水構造を提供する必要がある。また、アンテナ部分の保守性を高めることも求められる。
【００１３】
例えば、特許文献１に記載された防水構造では、筐体の取付座に一体成形で設けられる中空部品と筐体内壁を用いていることによって、外観および内部構造の設計自由度を大きく制約している。これは、樹脂系の筐体であろうと金属系の筐体であろうと問題となり得る。また、中空部品と取付座、および中空部品と筐体ケース内壁との嵌合部分から水分が機器内に進入してしまう可能性が大きいことも問題となる。
【００１４】
特許文献２や特許文献３に示された防水構造にも上記例示したように様々な問題点があり、電子機器内への浸水やアンテナ形状、デザイン性、メンテナンス性などを所要に満たすことができない。
【００１５】
本発明は、上記事情に鑑みて成されたものであり、高い防水性を有する取付具を用いる伸張及び収納できるアンテナを備えた電子機器を提供することを目的とする。
【課題を解決するための手段】
【００１６】
本発明に係る電子機器は、筐体部材と、前記筐体部材に対して伸張および収納可能に設けられるアンテナエレメントと、前記アンテナエレメントを保持すると共に前記筐体部材に保持される取付具と、前記取付具に具備されて、前記取付具と共に前記筐体部材との接続面の一部を成す伸縮性を有するシーリング部材と、一端を封止すると共に他端を前記取付具に非浸水に接続させた耐水性チューブと、を有することを特徴とする。
【発明の効果】
【００１７】
本発明によれば、高い防水性を有する取付具を用いる伸張及び収納できるアンテナを備えた電子機器を提供できる。
【図面の簡単な説明】
【００１８】
【図１】実施の一形態に係る電子機器の収納状態のアンテナ部を示す説明図である。
【図２】実施の一形態に係る電子機器の中間状態のアンテナ部を示す説明図である。
【図３】一実施例に係る電子機器の収納状態のアンテナ部を含む断面図である。
【図４】特許文献１に記載された防水構造を示す説明図である。
【図５】特許文献２に記載された防水構造を示す説明図である。
【図６】特許文献３に記載された防水構造を示す説明図である。
【発明を実施するための形態】
【００１９】
本発明を図１ないし図３に基づいて説明する。
【００２０】
図１および図２は、実施の一形態に係る電子機器のアンテナ部を示す説明図である。図１はアンテナ収納時の各部の位置関係を示しており、図２はアンテナ伸張時（中間状態）の各部の位置関係を示している。なお、電子機器のアンテナ部を除く説明は省略する。また、電子機器の電気的電磁的説明およびアンテナ部以外の防水性についても説明を省略する。
【００２１】
取付具１は、中空構造を有して円形筒状と成っている。取付具１は、その穴に、アンテナのエレメント２を通してアンテナを保持する。他方、取付具１は、筐体５に保持される。なお、必ずしも円形である必要は無く、略四角形や略六角形などの外形をしていてもよい。
【００２２】
エレメント２は、筐体５に対して伸張および収納可能に組み付けられる。エレメント２は、端部形状によって取付具１から抜けないように組み付けられている。このエレメント２を用いるアンテナは、伸張状態および収納状態を選択でき、図示しない電子基板と協働して通信等を行なう。
【００２３】
耐水性チューブ３は、図中の下端を封止された構造を有する部材である。耐水性チューブ３は、もう一方である図中の上端を取付具１に非浸水性を持たせて接続させる。
【００２４】
耐水性チューブ３は、例えば、非金属で柔軟性および耐水性を有する部材を用いる。耐水性チューブ３は、取付具１との挿入部分では取付具１の外径よりも内径が小さくすることによって、寸法差分による勘合強による挿入部分の機密性、防水性および防湿性を保っている。また、取付具１を基に耐水性チューブ３を成形してもよい。
【００２５】
また、取付具１には、耐水性チューブ３の嵌合部分よりも図中上方に、環状シーリング部材４が嵌められている。環状シーリング部材４は、取付具１と共に筐体５との接続面の一部を成す。環状シーリング部材４は、例えば、ゴム製のＯリングを用いることができる。環状シーリング部材４は伸縮性を有しており、取付具１および筐体５との構造的結合によって防水構造と成る。
【００２６】
なお、筐体５は、必ずしも電子機器の外殻を成す構造体である必要はなく、本体に対してアンテナを固定的に保持する構造体であればよい。
【００２７】
また、取付具１、エレメント２、耐水性チューブ３および環状シーリング部材４をアンテナユニットとして扱うことによって、簡便にアンテナの組込を行え、且つその際に防水機能を簡便に正しく持たせることが可能となる。
【００２８】
次に、上記防水構造に係る作用を説明する。  
例えば電子機器を水中に浸水させると、エレメント２が伸張した状態では、エレメント２と取付具１との隙間から水が浸入しようとする。また、水中や濡れた状態でのアンテナの伸縮を行った際に、より水が浸入しようとする。  
このような状態で仮に水が浸入した場合でも、取付具１と耐水性チューブ３の接続部などから耐水性チューブ３よりも外（電子機器の内部）に水分が漏れ出ること防止できる。また、防湿性によって水蒸気の移動も発生させない。  
また、環状シーリング部材４により、取り付けられる筐体部材との接続部分においても防水仕様を満足する事ができる。  
この防水構造もって、アンテナ部における良好な防水機能を達成できる。
【００２９】
なお、IPX等の所要の防水仕様は、この両接続部における機密性の調整によって所要に高めることが可能となる。
【００３０】
また、外観および内部構造の設計自由度を大きく向上させる。
【００３１】
加えて、アンテナ部分の防水性、防湿性の維持を含めた製造性や保守性を高められる。
【実施例】
【００３２】
電子機器としての携帯電話の筐体に取り付けられた収納式アンテナに係る防水構造を説明する。
【００３３】
図３は、電子機器のアンテナ部分を含む断面図である。
【００３４】
図３示すように、取り付け金具１０および仕切り構造物５０を介してアンテナ２０が筐体内に収納されて保持されている。アンテナ２０は、複数段の折り畳み式ロッドアンテナであり、伸張時にアンテナ仕様に基づいたエレメント長を有している。
【００３５】
取り付け金具１０の側面には凹部が設けられており、シーリング部材としてのＯリング４０が嵌め込まれる。アンテナユニットとして組み付けられた際に、この取り付け金具１０の凹部に嵌められているＯリング４０が筐体内の仕切り構造物５０と接触して、筐体部材側との取り付け金具１０の防水性を維持している。  
本構造により、Ｏリング４０が筐体内の仕切り構造物５０と接触する面よりも筐体側に水が浸入するのを防ぎ、回路基板６０等への浸水影響を無くす事ができる。また、表示部７０などへの凝縮発生を防止している。
【００３６】
また、取り付け金具１０と取り付け金具１０に嵌められている耐水性チューブ３０とが筐体内との仕切り構造となり、筐体内部との防水性、防湿性を維持している。
【００３７】
Ｏリング４０による筐体内に対する防水性、及びアンテナの取り付け金具１０と耐水性チューブ３０の勘合部分での防水性により、本アンテナ部に関わる筐体に対するIPX等の防水仕様を満足する事ができる。
【００３８】
また取り付け金具１０，エレメント２０，耐水性チューブ３０，およびＯリング４０は、アンテナユニットとして筐体５０や筐体外殻８０とは独立している。このため、これらにより構成されたアンテナユニットは筐体からの簡便に取り外し／取り付けが可能である。もって、アンテナ部の製造性（組み込み性）に加え、保守性にも優れている。これは、防水性の維持の為のメンテナンス時に大きく役立つ。
【００３９】
また筐体内の仕切り構造物５０を用いているので、防水性について筐体外殻８０の形状に因らないで防水特性を有たせられる。換言すれば、外殻のデザイン等の設計自由度が高まり、また実装エリアの拡大も可能となる。
【００４０】
なお、取り付け金具１０と耐水性チューブ３０との接続部分を接着剤を用いて耐水性を付与してもよい。また、取り付け金具１０と耐水性チューブ３０とを一体成形してもよい。
【００４１】
また、取り付け金具１０と耐水性チューブ３０を金属を用いて一体成形してもよい。この際、耐水性チューブ３０を電気的に他の部分と接続して電気的特性を付与してもよい。また、耐水性チューブ３０をアンテナのエレメントとして用いるようにチューブ長や端部処理等を調整してもよい。
【００４２】
電子機器に対するアンテナユニットの組込方法は、筐体部材である仕切り構造物５０に対して、アンテナユニットの一部にあたる取り付け金具１０を圧入する。なお、ネジ構造を用いて接続してもよい。  
この際、予め筐体設計において、Ｏリング４０によってシーリングすることを想定して、仕切り構造物５０と取り付け金具１０との組み付のクリアランスを定める。換言すれば、Ｏリング４０を所要に変形させるクリアランスと成るように、仕切り構造物５０と取り付け金具１０とが当接する面を定める。  
このことによって、Ｏリング４０によるシーリング精度を所要に安定させる。
【００４３】
また、アンテナユニットの取り外し時には、アンテナ時具などを用いて外すことによって、取り付け金具１０の凹部に嵌まっているＯリング４０を含めてアンテナユニット全体が外れる、  
このことによって、アンテナ部の修理やメンテナンス時に環状シーリング部材の抜けや多重を防止できる。
【００４４】
このように、本発明を適用すれば、高いデザイン自由度、広実装エリア、メンテナンス性などを保ちながら、IPX等の防水仕様を満足する事ができる。
【００４５】
上記実施の形態の説明で示したように、本発明によれば、高い防水性を有する取付具を用いる伸張及び収納できるアンテナを備えた電子機器を提供できる。
【００４６】
また、本発明の具体的な構成や材質は前述の実施の形態や実施例に限られるものではなく、この発明の要旨を逸脱しない範囲の変更があってもこの発明に含まれる。
【産業上の利用可能性】
【００４７】
本発明は、防水機能を有する携帯電話機や携帯テレビ、モバイルマルチメディア放送受信機、携帯ラジオなどのアンテナ部を有する電子機器に使用できる。
【符号の説明】
【００４８】
１    取付具
２    エレメント
３    耐水性チューブ
４    環状シーリング部材
５    筐体
１０  取り付け金具
２０  アンテナ
３０  耐水性チューブ
４０  Ｏリング
５０  仕切り構造物
６０  回路基板
７０  表示部
８０  筐体外殻
【図１】
2013162471.tif 000003
【図２】
2013162471.tif 000004
【図３】
2013162471.tif 000005
【図４】
2013162471.tif 000006
【図５】
2013162471.tif 000007
【図６】
2013162471.tif 000008